(57)【要約】【課題】通信装置に対する着信をより適切に管理する。【解決手段】  例示的な実施形態の通信装置は、発信装置リストを含む設定情報を記憶する記憶部と、発信装置との通話に関する処理を行う通話ユニットとを有する。通信装置は、前記発信装置が前記発信装置リストに含まれていない場合、前記通信装置を管理する管理装置に対して、前記設定情報の変更に関する文字列を含む要求情報を送信する通信部を有する。【選択図】      図２
2017175513.tif 000002
【特許請求の範囲】
【請求項１】
発信装置リストを含む設定情報を記憶する記憶部と、
発信装置との通話に関する処理を行う通話ユニットと、
前記発信装置が前記発信装置リストに含まれていない場合、通信装置を管理する管理装置に対して、前記設定情報の変更に関する文字列を含む要求情報を送信する通信部とを有する、
通信装置。
【請求項２】
前記通信部が、前記管理装置によって送信された、前記要求情報に応答する変更指示を受けると、
前記記憶部は、
前記変更指示に基づき、前記設定情報を更新する、
請求項１に記載の通信装置。
【請求項３】
前記通信部は、
前記管理装置に対して、前記通話に関する音声データを送信し、
前記変更指示は、
前記音声データと前記管理装置に入力される入力情報とに基づき生成される、
請求項２に記載の通信装置。
【請求項４】
前記音声データを生成する生成部を更に有し、
前記生成部は、
前記設定情報に含まれる間隔情報が示す間隔に基づき、前記音声データを生成する、
請求項３に記載の通信装置。
【請求項５】
前記設定情報の更新によって、前記発信装置リストに前記発信装置が含められ、
前記設定情報の更新の後に前記発信装置との第２の通話が行われる場合、
前記要求情報は送信されない、
請求項２乃至４のいずれか１項に記載の通信装置。
【請求項６】
前記設定情報が、
前記通信装置と前記管理装置とが接続される通信ネットワークに含まれるサーバによって、管理され、
前記変更指示が前記管理装置から前記サーバに送信され、
前記変更指示に基づき、前記サーバによって前記設定情報が更新される、
請求項２乃至５のいずれか１項に記載の通信装置。
【請求項７】
前記発信装置が前記発信装置リストに含まれていない場合、
前記通話ユニットは、
前記発信装置に対して、前記通話が録音される旨の通知を行う、
請求項１乃至６のいずれか１項に記載の通信装置。
【請求項８】
通信装置と
通信ネットワークと、
前記通信装置を管理する管理装置を有する通信システムであって、
前記通信装置は、
発信装置リストを含む設定情報を記憶し、
発信装置との通話に関する処理を行い、
前記発信装置が前記発信装置リストに含まれていない場合、前記管理装置に対して、前記設定情報の変更に関する文字列を含む要求情報を送信し、
前記管理装置は、
前記通信ネットワークを介して、前記要求情報を受信する、
通信システム。
【請求項９】
発信装置との通話に関する処理を行い、
予め記憶された設定情報に含まれる発信装置リストに前記発信装置が含まれていない場合、
通信装置を管理する管理装置に対して、前記設定情報の変更に関する文字列を含む要求情報を送信する、
通信方法。
【請求項１０】
発信装置との通話に関する処理を行い、
予め記憶された設定情報に含まれる発信装置リストに前記発信装置が含まれていない場合、
通信装置を管理する管理装置に対して、前記設定情報の変更に関する文字列を含む要求情報を送信すること、
をコンピュータに実行させるプログラム。
【発明の詳細な説明】
【技術分野】
【０００１】
本開示は、通信装置、通信システム、通信方法、プログラムに関する。
【背景技術】
【０００２】
特許文献１には、詐欺師からの電話を検出して通報する電話装置が開示されている。この電話装置は、予め複数のキーワードをテキスト形式で保存しておき、通話を録音する。音声認識手段が通話相手の音声を文字列に変換し、比較手段がキーワードと文字列とを比較する。複数のキーワードが一致した場合に詐欺師からの電話と判断され、詐欺師からの電話であることを警告手段で知らせる。詐欺師から電話がかかっていることを、予め登録してある通報先にＥメールで通知する。
【先行技術文献】
【特許文献】
【０００３】
【特許文献１】特開２００７−９６９６２号公報
【発明の概要】
【発明が解決しようとする課題】
【０００４】
特許文献１では、単に、詐欺師からの電話であることを、電話装置が判定して所定の通知先に知らせるだけである。
【０００５】
このため、着信のたびに電話装置（通信装置）は同じ処理が必要となり、着信（例えば、通信装置が不要とする着信）を適切に管理することができない。
【０００６】
そこで、例示的な実施形態の目的の１つは、通信装置に対する着信をより適切に管理することが可能な仕組みを提供することである。なお、この目的は、本明細書に開示される実施形態が達成しようとする複数の目的の１つに過ぎないことに留意されるべきである。その他の目的又は課題と新規な特徴は、本明細書の記述又は添付図面から明らかにされる。
【課題を解決するための手段】
【０００７】
例示的な実施形態の通信装置は、発信装置リストを含む設定情報を記憶する記憶部と、発信装置との通話に関する処理を行う通話ユニットとを有する。通信装置は、前記発信装置が前記発信装置リストに含まれていない場合、前記通信装置を管理する管理装置に対して、前記設定情報の変更に関する文字列を含む要求情報を送信する通信部を有する。
【０００８】
他の例示的な実施形態の通信システムは、通信装置と通信ネットワークと、前記通信装置を管理する管理装置を有する。前記通信装置は、発信装置リストを含む設定情報を記憶し、発信装置との通話に関する処理を行う。前記通信装置は、前記発信装置が前記発信装置リストに含まれていない場合、前記管理装置に対して、前記設定情報の変更に関する文字列を含む要求情報を送信する。前記管理装置は、前記通信ネットワークを介して、前記要求情報を受信する。
【０００９】
他の例示的な実施形態の通信方法は、発信装置との通話に関する処理を行う。通信方法は、予め記憶された設定情報に含まれる発信装置リストに前記発信装置が含まれていない場合、通信装置を管理する管理装置に対して、前記設定情報の変更に関する文字列を含む要求情報を送信する。
【００１０】
他の例示的な実施形態のプログラムは、発信装置との通話に関する処理を行い、予め記憶された設定情報に含まれる発信装置リストに前記発信装置が含まれていない場合、通信装置を管理する管理装置に対して、前記設定情報の変更に関する文字列を含む要求情報を送信することをコンピュータに実行させる。
【発明の効果】
【００１１】
本発明の例示的な実施形態によれば、通信装置に対する着信をより適切に管理することができる。
【図面の簡単な説明】
【００１２】
【図１】第１の例示的な実施形態の通信システムを示す。
【図２】第１の例示的な実施形態の通信装置１を示す。
【図３】第１の例示的な実施形態の着信シーケンスを示す。
【図４】第１の例示的な実施形態の設定更新シーケンスの一例を示す。
【図５】第１の例示的な実施形態の設定更新シーケンスの他の例を示す。
【図６】第１の例示的な実施形態の他の着信シーケンスを示す。
【図７】第２の例示的な実施形態の通信システムを示す。
【図８】第２の例示的な実施形態の通信装置１００を示す。
【発明を実施するための形態】
【００１３】
以下において、添付図面を参照しながら、例示的な（exemplary）実施形態が詳細に示される。各図面において、同一又は対応する要素には同一の符号が付されており、説明の明確化のため、必要に応じて重複説明は省略される。以下に説明される複数の例示的な実施形態は、独立に実施されることもできるし、適宜組み合わせて実施されることもできる。
【００１４】
１．第１の例示的な実施形態
図１は、第１の例示的な実施形態の通信システムを示す。
図１において、通信システムは、通信装置１と管理装置２と通信ネットワーク３とを有する。
【００１５】
通信装置１は、通信ネットワーク３を介して、管理装置２に接続される。通信装置１は、図示せぬ発信装置からの着信を受けるように構成される。通信装置１は、発信装置との通話に関する処理を行うように構成される。管理装置２は、通信装置１を管理するように構成される。
【００１６】
図２は、第１の例示的な実施形態の通信装置１を示す。
図２において、通信装置１は、記憶部１１と、通話ユニット１２と、通信部１３と、プロセッサ１４と、生成部１５とを有する。
【００１７】
記憶部１１は、設定情報を記憶するように構成される。設定情報は、例えば、例外発信装置番号リストを含む。また、設定情報は、管理装置２の宛先情報（例えば、送信先ＥメールアドレスリストまたはＩＰ（Internet Protocol）アドレス）を含んでも良い。また、設定情報は、通信装置１と発信装置（不図示）との通話に関する音声ファイルを作成する間隔に関する間隔情報を含んでも良い。なお、記憶部１１は、後述する生成部１５が生成した音声データを記憶してもよい。
【００１８】
通話ユニット１２は、発信装置との通話に関する処理を行うように構成される。通話ユニット１２は、後述する各種動作において、生成部１５との通信を行うように構成される。
【００１９】
通信部１３は、管理装置２に対して、記憶部１１の設定情報の変更に関する文字列を含む要求情報を送信するように構成される。
【００２０】
生成部１５は、通話ユニット１２にて処理される通話を録音し、音声データ（音声ファイルともいう）を生成するように構成される。
【００２１】
プロセッサ１４は、通信装置１の各構成要素からの情報を収集し、判断を行い、各構成要素を制御するように構成される。
【００２２】
図３は、第１の例示的な実施形態の着信シーケンスを示す。
Ｓ１０１において、発信装置４は、通信装置１に対して、発信する。通信装置１の通話ユニット１２は、着信する。
【００２３】
Ｓ１０２において、通話ユニット１２は、プロセッサ１４へ、着信があったことを通知する。プロセッサ１４は、記憶部１１が記憶している例外発信装置番号リストと、Ｓ１０１で発信装置４から通知された発信装置番号を比較する。
【００２４】
プロセッサ１４は、発信装置番号が例外発信装置番号リストに含まれる場合、通常の着信処理を実施し、Ｓ１０３〜Ｓ１１４に示される動作は、実施されない。
【００２５】
一方、発信装置番号が例外発信装置番号リストに含まれない場合、Ｓ１０３〜Ｓ１１４に示される動作が実施される。
【００２６】
Ｓ１０３において、プロセッサ１４は、通話ユニット１２に自動応答を指示する。通話ユニット１２は、通話に関する処理を開始する。これは、Ｓ１０４で発信装置４に対して音声を通知するためのものである。通常、この時点から通話料金が発生する。
【００２７】
Ｓ１０４において、プロセッサ１４は、自動音声再生がなされるように、通話ユニット１２を制御する。通話ユニット１２は、発信装置４に対して、通話内容は録音されていることを通知する音声を通知する（再生する）。
【００２８】
Ｓ１０４によれば、発信装置４の使用者に悪意がある場合、この使用者へ警告することができる。また、Ｓ１０４によって、使用者が詐欺行為等を行うことへの間接的な警告となる。また、発信装置４の使用者に悪意がない場合には、通話内容が録音されることを事前に知らせることができる。
【００２９】
Ｓ１０５において、プロセッサ１４は、記憶部１１が記憶している設定情報に含まれる宛先情報で示される宛先に、要求情報を送信するよう、通信部１３を制御する。例えば、宛先情報が送信先Ｅメールアドレスの場合、管理装置２のＥメールアドレスが、送信先Ｅメールアドレスリストが１つ設定されているとする。なお、要求情報は、設定情報の変更に関連する文字列を含む。例えば、発信装置４の番号である発信装置番号が、要求情報に含まれる。なお、要求情報は、例えば、Ｅメールで送信されてもよい。要求情報は、Ｅメールの本文に記載されても良い。なお、要求情報は、プロセッサ１４が生成してもよいし、通信部１３が生成してもよい。
【００３０】
Ｓ１０４とＳ１０５によれば、通信ネットワーク環境等により、発信装置４との通話に関する音声データ（音声ファイル）を管理装置２が受信しにくい場合でも、管理装置２へ発信装置番号を通知することができる。また、着信シーケンスの早い段階で、通信装置１が管理装置２へ発信装置番号を通知することができる。なお、Ｓ１０４とＳ１０５は、必要がない場合、省略されてもよい。
【００３１】
Ｓ１０６において、通信装置１は、着信音を鳴らし、通信装置１の使用者に、発信装置４からの着信を通知する。
【００３２】
Ｓ１０７において、通信装置１の使用者と発信装置４との会話が開始する。なお、通信装置１の使用者が、通話ボタンを押す、または、受話器を電話機（通信装置１）から上げるなどの動作によって、着信への応答がなされ、会話が開始する。
【００３３】
Ｓ１０８において、通話ユニット１２は、プロセッサ１４に上記の会話が開始されたことを通知する。プロセッサ１４は、生成部１５に会話の録音を開始するように、指示する。この指示を受けて、生成部１５は、会話（通話）内容の録音を開始する。
【００３４】
Ｓ１０９において、プロセッサ１４は、記憶部１１が記憶している設定情報に含まれる例外発信装置番号リストと発信装置番号を比較する。
【００３５】
発信装置番号が例外発信装置番号リストに含まれる場合、生成部１５は音声データ（音声ファイル）を作成せずＳ１１０も行わない。
【００３６】
発信装置番号が例外発信装置番号リストに含まれない場合、生成部１５は、音声データ（音声ファイル）を作成する。
【００３７】
なお、Ｓ１０２において例外発信装置番号リストと発信装置番号を比較しているにもかかわらず、Ｓ１０９において再度例外発信装置番号リストを確認している。この理由は、後述する図４または図５等の仕組みによって、例外発信装置番号リストが更新される可能性があるからである。
【００３８】
Ｓ１１０において、通信部１３は、Ｓ１０５と同様に設定情報の変更に関する文字列を含む要求情報を送信する。この文字列は、例えば、「発信装置番号と通話継続中である」ことを示す。また、要求情報とともに、生成部１５が生成した音声ファイルが、送信される。なお、要求情報と音声ファイルは、例えば、Ｅメールで送信されてもよい。要求情報は、Ｅメールの本文に記載されても良い。音声ファイルは、Ｅメールに添付されてもよい。
【００３９】
Ｓ１０９とＳ１１０は、会話が続く間（通話中において）、設定情報に含まれる間隔情報が示す時間間隔ごとに、実施されうる。
【００４０】
２回目以降に作成される音声ファイルは、前回以前に作成された音声ファイルに含まれる通話内容（録音された会話）を含めてもよいし、含めなくてもよい。
【００４１】
Ｓ１１１において、通話が終了する。
【００４２】
Ｓ１１２において、通話ユニット１２は、プロセッサ１４に通話が終了したことを通知する。プロセッサ１４は、生成部１５に録音の終了を指示する。生成部１５は、電話での会話の録音を終了する。
【００４３】
Ｓ１１３において、プロセッサ１４は、Ｓ１０９と同様に、音声ファイルを作成するよう生成部１５に指示する。作成される音声ファイルには、Ｓ１０９で作成された音声ファイルに含まれる録音を含めてもよいし、含めなくてもよい。
【００４４】
Ｓ１１４において、通信部１３は、Ｓ１１０と同様に、設定情報の変更に関する文字列を含む要求情報を送信する。この文字列は、例えば、「発信装置番号と通話終了済みである」ことを示す。また、要求情報とともに、生成部１５が生成した音声ファイルが、送信される。なお、要求情報と音声ファイルは、例えば、Ｅメールで送信されてもよい。要求情報は、Ｅメールの本文に記載されても良い。音声ファイルは、Ｅメールに添付されてもよい。
【００４５】
図４は、第１の例示的な実施形態の設定更新シーケンスの一例を示す。
【００４６】
Ｓ２０１において、管理装置２は、通信装置１の設定変更を指示するための変更指示を、通信装置１に対して送信する。例えば、Ｓ１０５、Ｓ１１０、Ｓ１１４で例示されたＥメールで指示される方法により、通信装置１に設定変更を指示する。変更指示は、設定情報を変更するための指示を示す文字列を含んでもよい。この文字列は、識別可能な特定のものである。
【００４７】
ここで、変更指示により変更できる設定情報は、例えば、例外発信装置番号リスト、宛先情報（送信先Ｅメールアドレスリスト）、または間隔情報（音声ファイル作成間隔）である。または、変更可能な設定情報は、例えば、ＵＲＬ等のリンク情報（設定情報を変更するためのwebサイトに関する情報）を含んでも良い。
【００４８】
Ｓ２０２において、プロセッサ１４は、Ｓ２０１で指示された設定変更指示（設定変更内容）を記憶部１１に指示する。記憶部１１は、指示された設定変更指示に基づき、設定情報を更新する。
【００４９】
本シーケンスによれば、通信装置１の設定情報を適宜変更することにより、通信装置１が不要とする着信を適切に管理することができる。例えば、管理装置２に対する音声ファイルの送信が不要と判断された場合、発信装置４の発信装置番号を例外発信装置番号リストに含めるような変更指示を、通信装置１が受信する。これによって、通信装置１から管理装置２への音声ファイルの送信を止めることができ、通信装置１は管理装置２へ送信するデータを減らすことができる。
【００５０】
図５は、第１の例示的な実施形態の設定更新シーケンスの他の例を示す。
【００５１】
Ｓ２０１Ａにおいて、管理装置２は、通信装置１の設定変更を指示するための変更指示を行う。変更指示は、通信ネットワーク３に含まれるサーバ５宛に送信される。例えば、管理装置２が、サーバ５の場所を示すＵＲＬ（Uniform Resource Locator）やＩＰアドレス等にアクセスし、変更指示がサーバ５に送信されてもよい。なお、変更指示は、設定情報を変更するための指示を示す文字列を含んでもよい。この文字列は、識別可能な特定のものである。
【００５２】
Ｓ２０１Ｂにおいて、サーバ５は、受信した変更指示に基づき、通信装置１の設定情報を更新するように、通信装置１を制御する。例えば、通信装置１の設定情報が、サーバ５によって管理されており、通信装置１の設定情報と同様の情報が、サーバ５に記憶されていてもよい。サーバ５と通信装置１の設定情報は同期しており、サーバ５の設定情報を更新すると、通信装置１の設定情報が更新されてもよい。
【００５３】
Ｓ２０２Ａにおいて、プロセッサ１４は、Ｓ２０１Ａ及びＳ２０１Ｂで指示された設定情報を変更する変更指示（設定変更内容）を記憶部１１に指示する。記憶部１１は、指示された設定変更指示に基づき、設定情報を更新する。
【００５４】
図６は、第１の例示的な実施形態の他の着信シーケンスを示す。
図３に比して、本シーケンスでは、通話を開始する時間が遅い。これにより、通話に係る通話料金を減らすことができる。また、発信装置４に「通話内容が録音されている」こと通知すべきでない場合に有効である。
【００５５】
Ｓ３０１は、Ｓ１０１と同様である。
【００５６】
Ｓ３０２は、Ｓ１０２の説明と同様である。ただし、発信装置番号が例外発信装置番号リストに含まれない場合、Ｓ３０３以降の動作を続ける。
【００５７】
Ｓ３０３及び３０４は、Ｓ１０５及び１０６とそれぞれ同様である。
【００５８】
Ｓ３０５において、通話が開始される。通信装置１の使用者が、通話ボタンを押す、または、受話器を電話機（通信装置１）から上げるなどの動作によって、着信への応答がなされ、会話が開始する。通常、この時点から通話料金が発生する。
【００５９】
Ｓ３０６はＳ１０８と同様である。Ｓ３０７は、Ｓ１０９と同様である。Ｓ３０８は、Ｓ１１０と同様である。Ｓ３０９は、Ｓ１１１と同様である。Ｓ３１０は、Ｓ１１２と同様である。Ｓ３１１は、Ｓ１１３と同様である。Ｓ３１２は、Ｓ１１４と同様である。
【００６０】
本実施形態によれば、通信装置に対する着信をより適切に管理することができる。また、通信装置への使用者の操作がされずに、着信時または通話中または通話終了時に、管理装置に対して、通信装置の設定情報への変更に関する文字列を含む要求情報を通知することができる。また、要求情報に加えて通話内容を示す音声データを通知することができる。要求情報および／または通話内容と、管理装置に入力される入力情報に基づいて、例えば、発信装置からの着信に関する危険性が判断されうる。通信装置が管理装置から変更指示を受けることによって、通信装置の所有者に発信装置からの着信の危険性について注意を促すことができる。結果として、例えば、オレオレ詐欺や還付金詐欺等への予防ができる。また、着信をうけた通信装置とは異なる管理装置による、より客観的な判断により変更指示が生成されうる。
【００６１】
２．第２の例示的な実施形態
図７は、第２の例示的な実施形態の通信システムを示す。
通信システムは、通信装置１００と、通信ネットワーク３００と、管理装置２００とを有する。管理装置２００は、通信装置１００を管理する。
通信装置１００は、発信装置リストを含む設定情報を記憶し、発信装置との通話に関する処理を行う。
通信装置１００は、発信装置が発信装置リストに含まれていない場合、管理装置２００に対して、設定情報の変更に関する文字列を含む要求情報を送信する。管理装置２００は、通信ネットワーク３００を介して、要求情報を受信する。
【００６２】
図８は、第２の例示的な実施形態の通信装置１００を示す。
通信装置１００は、発信装置リストを含む設定情報を記憶する記憶部１０１と、発信装置との通話に関する処理を行う通話ユニット１０２とを有する。通信装置１００は、発信装置が発信装置リストに含まれていない場合、通信装置１００を管理する管理装置２００に対して、設定情報の変更に関する文字列を含む要求情報を送信する通信部１０３を有する。
【００６３】
本実施形態によれば、通信装置に対する着信をより適切に管理することができる。
【００６４】
３．他の例示的な実施形態
上述した図３のＳ１０５、Ｓ１１０、Ｓ１１４において、Ｅメールではなく、ＳＮＳ（Ｓｏｃｉａｌ  Ｎｅｔｗｏｒｋ  Ｓｅｒｖｉｃｅ）のサービスを用いて、管理装置２へ発信装置番号や音声ファイルが送信されてもよい。なお、通信装置１とＳＮＳとが連携するように構成される。ＥメールとＳＮＳの両方が、送信するための手段として用いられうる。
【００６５】
上述した例外発信装置番号リストには、通信装置１に登録されている電話帳に含まれる発信装置の番号が自動的に含められても良い。
【００６６】
上述した設定情報は、通信装置１に設けられた入力インタフェース（不図示）に対して入力情報が入力されることによって、設定されうる。また、設定情報は、通信装置１が遠隔操作されることにより、更新可能されてもよい。
【００６７】
上述した発信装置番号は、発信装置を識別する識別情報である。例えば、電話番号、ＩＰアドレス、Ｅメールアドレス、ＩＭＳＩ（International Mobile Subscriber Identity）、ＴＭＳＩ（Temporary Mobile Subscriber Identity）であってもよい。宛先情報も同様に、電話番号、ＩＰアドレス、Ｅメールアドレス、ＩＭＳＩ、ＴＭＳＩであってもよい。
【００６８】
上述した間隔情報は、時間帯や曜日に応じて、変更されてもよい。
【００６９】
上述した要求情報は、要求情報の送信元である通信装置１を特定する情報を含んでも良い。例えば、上述した電話番号、ＩＰアドレス、Ｅメールアドレス、ＩＭＳＩ、ＴＭＳＩであってもよい。
【００７０】
上述した要求情報や変更指示に含まれる文字列は、通信装置１の設定情報にアクセスするための情報を含んでも良い。この情報は、通信装置１の設定情報にアクセスするためのアドレス情報であってもよい。例えば、アドレス情報は、ＵＲＬ等のリンク情報（設定情報を変更するためのwebサイトに関する情報）であってもよい。なお、文字列は、単語や文章のような、文字の連なったもので、ストリングまたはテキストとも呼ばれうる。
【００７１】
上述した通信装置１は、無線端末、移動端末またはユーザ端末（またはユーザ）と呼ぶこともできる。また、通信装置１は、システム、加入者ユニット、加入者局、移動局、ワイヤレス端末、モバイルデバイス、ノード、デバイス、リモート局、リモート端末、ワイヤレス通信デバイス、ワイヤレス通信デバイス、ワイヤレス通信装置またはユーザエージェントの機能性の一部または全部を含み得る。通信装置１は、セルラー電話、コードレス電話、セッション開始プロトコル(SIP)電話、スマートフォン、ワイヤレスローカルループ(WLL)局、携帯情報端末(PDA)、ラップトップ、タブレット、ネットブック、スマートブック、ハンドヘルド通信デバイス、ハンドヘルドコンピューティングデバイス、衛星無線、ワイヤレスモデムカードおよび/またはワイヤレスシステムを介して通信する別の処理デバイスでよい。通信装置１は、有線電話でもよい。なお、管理装置２も通信装置１と同様である。
【００７２】
上記において、通信システムに設けられた各構成要素（通信装置１、管理装置２）が行う処理は、目的に応じてそれぞれの論理回路で行うようにしても良い。
【００７３】
また、処理内容を手順として記述したコンピュータプログラム（以下、プログラムと称する）を、通信システムを構成する要素のそれぞれにて読取可能な記録媒体に記録し、この記録媒体に記録されたプログラムが通信システムの各構成要素それぞれに読み込まれ、実行されるものであっても良い。
【００７４】
この記録媒体に記録されたプログラムは、通信システムの各構成要素それぞれに設けられたCentral Processing Unit (CPU)にて読み込まれ、CPUの制御によって、上述したものと同様の処理が行われる。ここで、CPUは、プログラムが記録された記録媒体から読み込まれたプログラムを実行するコンピュータとして動作するものである。
【００７５】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ（Compact Disc）−ＲＯＭ（Read Only Memory）、ＣＤ−Ｒ、ＣＤ−Ｒ／Ｗ、Digital Versatile Disk (DVD)、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７６】
さらに、本発明は上述した実施の形態のみに限定されるものではなく、既に述べた本発明の要旨を逸脱しない範囲において種々の変更が可能であることは勿論である。本明細書で説明したそれぞれの実施形態による機能またはステップおよび/または動作は特定の順序で実行しなくてもよい。さらに、本発明の要素は、単数形で説明または請求されていることがあるが、単数形に限定することが明示的に述べられていない限り、複数形であってもよい。
【００７７】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００７８】
＜付記＞
前述の例示的な実施形態の一部または全部は、以下の各付記のようにも記載することができる。しかしながら、以下の各付記は、あくまでも、本発明の単なる例示に過ぎず、本発明は、かかる場合のみに限るものではない。
【００７９】
（付記１）
通信装置であって、
発信装置リストを含む設定情報を記憶する記憶部と、
発信装置との通話に関する処理を行う通話ユニットと、
前記発信装置が前記発信装置リストに含まれていない場合、前記通信装置を管理する管理装置に対して、前記設定情報の変更に関する文字列を含む要求情報を送信する通信部とを有する、
通信装置。
【００８０】
（付記２）
前記通信部が、前記管理装置によって送信された、前記要求情報に応答する変更指示を受けると、
前記記憶部は、
前記変更指示に基づき、前記設定情報を更新する、
付記１に記載の通信装置。
【００８１】
（付記３）
前記通信部は、
前記管理装置に対して、前記通話に関する音声データを送信し、
前記変更指示は、
前記音声データと前記管理装置に入力される入力情報とに基づき生成される、
付記２に記載の通信装置。
【００８２】
（付記４）
前記音声データを生成する生成部を更に有し、
前記生成部は、
前記設定情報に含まれる間隔情報が示す間隔に基づき、前記音声データを生成する、
付記３に記載の通信装置。
【００８３】
（付記５）
前記設定情報の更新によって、前記発信装置リストに前記発信装置が含められ、
前記更新の後に前記発信装置との第２の通話が行われる場合、
前記要求情報は送信されない、
付記２乃至４のいずれか１項に記載の通信装置。
【００８４】
（付記６）
前記設定情報が、
前記通信装置と前記管理装置とが接続される通信ネットワークに含まれるサーバによって、管理され、
前記変更指示が前記管理装置から前記サーバに送信され、
前記変更指示に基づき、前記サーバによって前記設定情報が更新される、
付記２乃至５のいずれか１項に記載の通信装置。
【００８５】
（付記７）
前記発信装置が前記発信装置リストに含まれていない場合、
前記通話ユニットは、
前記発信装置に対して、前記通話が録音される旨の通知を行う、
付記１乃至６のいずれか１項に記載の通信装置。
【００８６】
（付記８）
通信装置と
通信ネットワークと、
前記通信装置を管理する管理装置を有する通信システムであって、
前記通信装置は、
発信装置リストを含む設定情報を記憶し、
発信装置との通話に関する処理を行い、
前記発信装置が前記発信装置リストに含まれていない場合、前記管理装置に対して、前記設定情報の変更に関する文字列を含む要求情報を送信し、
前記管理装置は、
前記通信ネットワークを介して、前記要求情報を受信する、
通信システム。
【００８７】
（付記９）
前記管理装置は、
前記要求情報に応答する変更指示を、前記通信装置に送信し、
前記通信装置は、
前記変更指示に基づき、前記設定情報を更新する、
付記８に記載の通信システム。
【００８８】
（付記１０）
前記通信装置は、
前記管理装置に対して、前記通話に関する音声データを送信し、
前記管理装置は、
前記音声データと前記管理装置に入力される入力情報とに基づき前記変更指示を
生成する、
付記９に記載の通信システム。
【００８９】
（付記１１）
前記通信装置は、
前記設定情報に含まれる間隔情報が示す間隔に基づき、前記音声データを生成する、
付記１０に記載の通信システム。
【００９０】
（付記１２）
前記設定情報の更新によって、前記発信装置リストに前記発信装置が含められ、
前記更新の後に、前記通信装置と前記発信装置との第２の通話が行われる場合、
前記要求情報は送信されない、
付記９乃至１１のいずれか１項に記載の通信システム。
【００９１】
（付記１３）
前記通信ネットワークに含まれるサーバが、
前記通信装置に記憶された設定情報を管理し、
前記管理装置から受信する前記変更指示に基づき、前記設定情報を更新する、
付記９乃至１２のいずれか１項に記載の通信システム。
【００９２】
（付記１４）
前記発信装置が前記発信装置リストに含まれていない場合、
前記通信装置は、
前記発信装置に対して、前記通話が録音される旨の通知を行う、
付記１乃至１３のいずれか１項に記載の通信システム。
【００９３】
（付記１５）
発信装置との通話に関する処理を行い、
予め記憶された設定情報に含まれる発信装置リストに前記発信装置が含まれていない場合、
通信装置を管理する管理装置に対して、前記設定情報の変更に関する文字列を含む要求情報を送信する、
通信方法。
【００９４】
（付記１６）
前記管理装置によって送信された、前記要求情報に応答する変更指示を受信し、
受信した前記変更指示に基づき、前記設定情報を更新する、
付記１５に記載の通信方法。
【００９５】
（付記１７）
前記管理装置に対して、前記通話に関する音声データを送信し、
前記変更指示は、
前記音声データと前記管理装置に入力される入力情報とに基づき生成される、
付記１６に記載の通信方法。
【００９６】
（付記１８）
前記設定情報に含まれる間隔情報が示す間隔に基づき、前記音声データを生成する、
付記１７に記載の通信方法。
【００９７】
（付記１９）
前記設定情報の更新によって、前記発信装置リストに前記発信装置が含められ、
前記更新の後に前記発信装置との第２の通話が行われる場合、
前記要求情報は送信されない、
付記１６乃至１８のいずれか１項に記載の通信方法。
【００９８】
（付記２０）
前記設定情報が、
前記通信装置と前記管理装置とが接続される通信ネットワークに含まれるサーバによって、管理され、
前記変更指示が前記管理装置から前記サーバに送信され、
前記変更指示に基づき、前記サーバによって前記設定情報が更新される、
付記１６乃至１９のいずれか１項に記載の通信方法。
【００９９】
（付記２１）
前記発信装置が前記発信装置リストに含まれていない場合、
前記発信装置に対して、前記通話が録音される旨の通知を行う、
付記１５乃至２０のいずれか１項に記載の通信方法。
【０１００】
（付記２２）
発信装置との通話に関する処理を行い、
予め記憶された設定情報に含まれる発信装置リストに前記発信装置が含まれていない場合、
通信装置を管理する管理装置に対して、前記設定情報の変更に関する文字列を含む要求情報を送信すること、
をコンピュータに実行させるプログラム。
【０１０１】
（付記２３）
前記管理装置によって送信された、前記要求情報に応答する変更指示を受信し、
受信した前記変更指示に基づき、前記設定情報を更新する、
付記２２に記載のプログラム。
【０１０２】
（付記２４）
前記管理装置に対して、前記通話に関する音声データを送信し、
前記変更指示は、
前記音声データと前記管理装置に入力される入力情報とに基づき生成される、
付記２３に記載のプログラム。
【０１０３】
（付記２５）
前記設定情報に含まれる間隔情報が示す間隔に基づき、前記音声データを生成する、
付記２４に記載のプログラム。
【０１０４】
（付記２６）
前記設定情報の更新によって、前記発信装置リストに前記発信装置が含められ、
前記更新の後に前記発信装置との第２の通話が行われる場合、
前記要求情報は送信されない、
付記２３乃至２５のいずれか１項に記載のプログラム。
【０１０５】
（付記２７）
前記設定情報が、
前記通信装置と前記管理装置とが接続される通信ネットワークに含まれるサーバによって、管理され、
前記変更指示が前記管理装置から前記サーバに送信され、
前記変更指示に基づき、前記サーバによって前記設定情報が更新される、
付記２３乃至２６のいずれか１項に記載のプログラム。
【０１０６】
（付記２８）
前記発信装置が前記発信装置リストに含まれていない場合、
前記発信装置に対して、前記通話が録音される旨の通知を行う、
付記２２乃至２７のいずれか１項に記載のプログラム。
【符号の説明】
【０１０７】
１  通信装置
２  管理装置
３  通信ネットワーク
４  発信装置
５  サーバ
１１  記憶部
１２  通話ユニット
１３  通信部
１４  プロセッサ
１５  生成部
１００  通信装置
１０１  記憶部
１０２  通話ユニット
１０３  通信部
２００  管理装置
３００  通信ネットワーク
【図１】
2017175513.tif 000003
【図２】
2017175513.tif 000004
【図３】
2017175513.tif 000005
【図４】
2017175513.tif 000006
【図５】
2017175513.tif 000007
【図６】
2017175513.tif 000008
【図７】
2017175513.tif 000009
【図８】
2017175513.tif 000010